(57)【要約】　　　（修正有）【課題】収納が極めて便利であり、小さなカバンに入れても、占めるスペースが少なく、且つ化粧のための何れかのものを忘れて化粧できないことがない。【解決手段】一中空な収容胴体１の上端に一蓋体２を被せて構成された化粧品容器の構造において、前記蓋体は、接続蓋３と、ブラシ４と、旋回座５と、旋回蓋６と、から構成され、化粧しないときに、ブラシが蓋体の接続蓋内に収容され、化粧しようとする際には、旋回蓋を旋回すると、旋回座も同期に旋回し前進され、且つブラシを外側へ突出させ、これにより、ブラシの毛を利用して収容胴体内の化粧品を付け取って化粧することができる。【選択図】　　図１
0003099775.tif 000002
【実用新案登録請求の範囲】
【請求項１】
一中空な収容胴体の上端に一蓋体を被せて構成された化粧品容器の構造において、
前記蓋体は、接続蓋と、ブラシと、旋回座と、旋回蓋と、から構成され、前記接続蓋は両端が開口を有する中空な胴体であり、前記ブラシは、一端にはブラシの毛が設けており、接続段に螺嵌するために、他端には逆螺旋段が設けており、ブラシの中段には止めリングが設けており、前記接続段の裏壁に設けた案内条と係止するために、前記止めリングには案内溝が設けており、旋回座は、一端には逆螺旋段に螺嵌するためにネジ孔が設けており、接続蓋に設けた螺旋に螺嵌するために旋回座の外壁には順螺旋段が設けており、なお、他端には係止リングが設けており、旋回蓋は旋回座および接続蓋の端末を被り、係止リングの周縁に設けた係止溝に嵌めて係止するために、旋回蓋の内壁には係止条が設けており、実際の使用方法は、旋回蓋を旋回すると、旋回座も同期に旋回し前進され、且つブラシを外側へ突出させ、これにより、ブラシの毛を利用して収容胴体内の化粧品を付け取ることができることを特徴とする化粧品容器の構造。
【請求項２】
該接続蓋の外壁に設けた環状溝に嵌め込むために、該旋回蓋の一端の内壁には環状突起が設けており、これにより、該旋回蓋を該接続蓋に嵌め込まれても旋回自在であることを特徴とする請求項１に記載の化粧品容器の構造。
【考案の詳細な説明】
【技術分野】
【０００１】
この考案は化粧品容器の構造に係り、特に内部にブラシが設けられた蓋体を収容胴体に被せるだけで全体が簡潔に構成され、携帯及び収納がもっと便利になった化粧品容器の構造に関する。
【背景技術】
【０００２】
目下、市販している化粧品容器は色んな仕様があり、使用者は好きなタイプの化粧品容器を選択して使用することができる。
【０００３】
図６を参照する。図６に示すのは従来の化粧品容器７０であり、あれは化粧品を再充填できる中空な缶状体７１の上端の開口に中段蓋７２を嵌め込んでから、上蓋７３を前記缶状体７１に螺着して構成されたものである。実際の使用方法は、使用者が前記化粧品容器７０及び一ブラシ８０を同時に携帯し、ブラシ８０によって化粧品容器７０のなかに充填された化粧品を付け取って化粧する。
【考案の開示】
【考案が解決しようとする課題】
【０００４】
しかしながら、これは次のような欠点があった。
（１）化粧品を充填した化粧品容器７０及びブラシ８０を同時に携帯することが必要なので、極めて不便である。さらに、両者の体積を合わせると、非常に大きいため、小さなカバンに入れると、かなりのスペースが占められた。
【０００５】
（２）化粧品容器７０とブラシ８０は分離式なので、何れかを忘れて携帯しないために化粧できないことがよくあった。
【課題を解決するための手段】
【０００６】
上記欠点を解決するためになされた本願の請求項１は、一中空な収容胴体の上端に一蓋体を被せて構成された化粧品容器の構造において、前記蓋体は、接続蓋と、ブラシと、旋回座と、旋回蓋と、から構成され、前記接続蓋は両端が開口を有する中空な胴体であり、前記ブラシは、一端にはブラシの毛が設けており、接続段に螺嵌するために、他端には逆螺旋段が設けており、ブラシの中段には止めリングが設けており、前記接続段の裏壁に設けた案内条と係止するために、前記止めリングには案内溝が設けており、旋回座は、一端には逆螺旋段に螺嵌するためにネジ孔が設けており、接続蓋に設けた螺旋に螺嵌するために旋回座の外壁には順螺旋段が設けており、なお、他端には係止リングが設けており、旋回蓋は旋回座および接続蓋の端末を被り、係止リングの周縁に設けた係止溝に嵌めて係止するために、旋回蓋の内壁には係止条が設けており、実際の使用方法は、旋回蓋を旋回すると、旋回座も同期に旋回し前進され、且つブラシを外側へ突出させ、これにより、ブラシの毛を利用して収容胴体内の化粧品を付け取ることができることを特徴とする化粧品容器の構造であることを要旨としている。
【０００７】
本願の請求項２では、該接続蓋の外壁に設けた環状溝に嵌め込むために、該旋回蓋の一端の内壁には環状突起が設けており、これにより、該旋回蓋を該接続蓋に嵌め込まれても旋回自在であることを特徴とする請求項１に記載の化粧品容器の構造であることを要旨としている。
【考案の効果】
【０００８】
この考案は次のような効果がある。
（１）この考案に係る化粧品容器は、化粧品が充填された収容胴体１に、ブラシ４を内蔵された蓋体２を被って構成されたものであるため、収納が極めて便利であり、且つ両者の体積が小さいので、小さなカバンに入れても、占めるスペースが少ない。
【０００９】
（２）蓋体２を収容胴体２に被ると、ブラシ４も一緒に収納されたため、化粧品またはブラシの何れかを忘れて化粧できないことがない。
【考案を実施するための最良の形態】
【００１０】
まず、図１から図４を参照する。この考案に係る化粧品容器は、一中空な収容胴体１の上端の開口に一蓋体２を被って構成されたものである。前記収容胴体１のなかには白粉などの固体化粧品を充填でき、なお、前記蓋体２は、接続蓋３と、ブラシ４と、旋回座５と、旋回蓋６と、から構成される。
【００１１】
前記接続蓋３は、フロント胴体３１とリア胴体３２とを一体に連接して構成され両端とも開口を有する一中空な胴体であり、且つフロント胴体３１とリア胴体３２との内径が異なったため、その境界で段差部３３が形成される。前記ブラシ４は、一端にはブラシの毛４１が設けており、フロント胴体３１とリア胴体３２とを挿通するために他端には逆螺旋段４２が設けており、且つ前記ブラシ４の中段には止めリング４３が設けており、前記フロント胴体３１の裏壁に設けた案内条３４と係止するために、前記止めリング４３には案内溝４４が設けている。前記旋回座５は、一端には逆螺旋段４２に螺嵌するためにネジ孔５１が設けており、リア胴体３２の内壁に設けた螺旋３５に螺嵌するために旋回座５の外壁には順螺旋段５２が設けており、なお、他端には、リア胴体３２の外端に当接して止めるための係止リング５３が設けている。前記旋回蓋６は、旋回座５およびリア胴体３２を被り、その一端の内壁にはリア胴体３２の外壁に設けた環状溝３６に嵌め込むための環状突起６１が設けており、この構成により、前記旋回蓋６とリア胴体３２とが相対に旋回自在であり、なお、係止リング５３の周縁に設けた係止溝５４に嵌めて係止するために、旋回蓋６の内壁には係止条が設けている。
【００１２】
図２を参照する。化粧しないときに、蓋体２が収容胴体１を被って一体になり、且つブラシ４が蓋体２のなかに収納される。
【００１３】
図２から図５を参照する。使用者は化粧しようとする際に、まず、蓋体２を取り出して旋回蓋６を旋回する。旋回蓋６に設けた係止条６２は旋回座５に設けた係止溝５４に嵌めて係止されたため、旋回座５が同期に回転し、そして順螺旋段５２がリア胴体３２に設けた螺旋３５と螺合することにより旋回座５は徐々に回転しながら前進する。ブラシ４は、逆螺旋段４２によって旋回座５に設けたネジ孔５１と螺合し、且つその案内溝４４がフロント胴体３１に設けた案内条３４と嵌着したため、旋回座５は回転しながら前進しているときに、ブラシ４も回転しながら前進し外側へ突き出す。そうすると、蓋体２を握って、ブラシの毛４１によって収容胴体１のなかに充填された化粧品を付け取って化粧することができる。
【００１４】
また、逆方向に旋回蓋６を旋回すると、ブラシ４が再び蓋体２のなかに収納されることができる。
【図面の簡単な説明】
【００１５】
【図１】この考案の分解斜視図である。
【図２】この考案の組立てた状態の断面図である。
【図３】この考案に係るブラシにある案内溝をフロント胴体にある案内条に嵌め込んだ状態を示す概略図である。
【図４】この考案に係る旋回蓋にある係止条を旋回座にある係止溝に係止した状態を示す概略図である。
【図５】この考案の実施例の使用状態を示す断面図である。
【図６】従来の化粧品容器の概略図である。
【符号の説明】
【００１６】
（この考案の部分）
１　　　　　収容胴体
２　　　　　蓋体
３　　　　　接続蓋
３１　　　　フロント胴体
３２　　　　リア胴体
３３　　　　段差部
３４　　　　案内条
３５　　　　螺旋
３６　　　　環状溝
４　　　　　ブラシ
４１　　　　ブラシの毛
４２　　　　逆螺旋段
４３　　　　止めリング
４４　　　　案内溝
５　　　　　旋回座
５１　　　　ネジ孔
５２　　　　順螺旋段
５３　　　　係止リング
５４　　　　係止溝
６　　　　　旋回蓋
６１　　　　環状突起
６２　　　　係止条
（従来の部分）
７０　　　　容器
７１　　　　缶状体
７２　　　　中段蓋
７３　　　　上蓋
８０　　　　ブラシ
【図１】
0003099775.tif 000003
【図２】
0003099775.tif 000004
【図３】
0003099775.tif 000005
【図４】
0003099775.tif 000006
【図５】
0003099775.tif 000007
【図６】
0003099775.tif 000008